(57)【特許請求の範囲】
【請求項１】
地図データを記憶しているとともに、この地図データに基づく地図上に表示されるサービス施設に関する情報であって、地図記憶媒体を提供するサービス施設、地図データの生成事業とタイアップしているサービス施設、地図データの送信元に係るサービス施設等の前記地図データの供給事業に協賛した協賛サービス施設に関する情報と、これら以外の他のサービス施設に関する情報とを記憶している記憶手段と、
前記地図データを前記記憶手段から読み出して地図を表示させる第１の表示制御手段と、
前記サービス施設に関する情報を前記記憶手段から読み出して表示させるとともに、その際に前記協賛サービス施設に関する情報を、前記他のサービス施設に関する情報よりも優先的に表示させる第２の表示制御手段と
を備えたことを特徴とする地図表示制御装置。
【請求項２】
前記記憶手段に記憶されている協賛サービス施設に関する情報は、複数の協賛サービス施設に関する情報の中からユーザにより選択され書き込まれた協賛サービス施設に関する情報を含むことを特徴とする請求項１記載の地図表示制御装置。
【請求項３】
現在位置を取得する取得手段を備え、前記第２の表示制御手段は、前記取得手段により取得された現在位置に基づき、前記協賛サービス施設に近づいた場合にのみ、当該協賛サービス施設に関する情報を表示させることを特徴とする請求項１又は２記載の地図表示制御装置。
【請求項４】
地図データと、この地図データに基づく地図上に表示されるサービス施設に関する情報であって、前記地図データの供給事業に協賛している協賛サービス施設に関する情報と、それ以外の他のサービス施設に関する情報とを取得する取得手段と、
この取得手段で取得した地図データに基づいて地図を表示させる第１の表示制御手段と、
前記取得手段で取得した協賛サービス施設及び他のサービス施設に関する情報を表示させるとともに、その際に前記協賛サービス施設に関する情報を、前記他のサービス施設に関する情報よりも優先的に表示させる第２の表示制御手段と
を備えたことを特徴とする地図表示制御装置。
【請求項５】
地図情報と、この地図情報に基づく地図上に表示されるサービス施設に関する情報であって、前記地図情報の供給事業に協賛している協賛サービス施設に関する情報と、それ以外の他のサービス施設に関する情報とが記録されている記録媒体から情報を読み取る読取手段と、
この読取手段で読み取った地図情報に基づいて地図を表示させる第１の表示制御手段と、
前記読取手段で読み取った協賛サービス施設及び他のサービス施設に関する情報を表示させるとともに、その際に前記協賛サービス施設に関する情報を、前記他のサービス施設に関する情報よりも優先的に表示させる第２の表示制御手段と
を備えたことを特徴とする地図表示制御装置。
【請求項６】
請求項４に記載の地図表示制御装置と、
この地図表示制御装置と通信可能にネットワーク接続され、前記地図表示制御装置の取得手段に対して、前記地図データと前記協賛サービス施設に関する情報と前記他のサービス施設に関する情報とを供給する地図データ供給装置と
からなることを特徴とする地図データサービスシステム。
【請求項７】
コンピュータに、
地図データと、この地図データに基づく地図上に表示されるサービス施設に関する情報であって、前記地図データの供給事業に協賛している協賛サービス施設に関する情報と、それ以外の他のサービス施設に関する情報とを取得する処理と、
前記取得した地図データに基づいて地図を表示させる処理と、
前記取得した協賛サービス施設及び他のサービス施設に関する情報を表示させるとともに、その際に前記協賛サービス施設に関する情報を、前記他のサービス施設に関する情報よりも優先的に表示させる処理と
を実行させるためのプログラムを記憶したコンピュータ読取り可能な記録媒体。
【請求項８】
地図データと、この地図データに基づく地図上に表示されるサービス施設に関する情報であって、前記地図データの供給事業に協賛している協賛サービス施設に関する情報と、それ以外の他のサービス施設に関する情報とを取得し、
前記取得した地図データに基づいて地図を表示する地図表示装置が有するコンピュータを動作させるためのコンピュータ・ソフトウェアによる地図表示制御方法であって、
前記取得した協賛サービス施設及び他のサービス施設に関する情報を表示させるとともに、その際に前記協賛サービス施設に関する情報を、前記他のサービス施設に関する情報よりも優先的に表示させる
ことを特徴とする地図表示制御方法。
【発明の詳細な説明】
【０００１】
【発明の属する技術分野】
本発明は、地図データに基づき地図を表示させる地図表示制御装置、記憶媒体、地図データサービスシステム、及び地図表示制御方法に関する。
【０００２】
【従来の技術】
カーナビゲーションやハンディーナビゲーション等のナビゲーション装置においては、記憶媒体（ＣＤ−ＲＯＭやＤＶＤ）に地図データ等が書き込まれた地図ソフトを用いて、地図表示や経路表示を行っている。また、地域開発や新たな施設の出現等に伴って地理に変更が生じた場合には、新たな地図データが書き込まれた地図ソフトが販売される。ユーザはこれを購入して、古くなった地図ソフトと交換して使用し、これにより常に最新の地図データに基づく正確な地図にて、経路誘導等がなされることとなる。
【０００３】
【発明が解決しようとする課題】
しかしながら、地図ソフトの製作には多大なコストを要することから、その販売価格も高価とならざるを得ない。したがって、ユーザは、新たな地図ソフトが販売されても、これを購入することなく、古いままの地図ソフトの使用を継続してしまい、最適な経路誘導等が得られていないのが実状である。
【０００４】
本発明はかかる従来の実状に鑑みなされたものであり、ユーザが地図ソフトを容易に入手し得るシステムを構築することのできる地図表示制御装置、記憶媒体、地図データサービスシステム、及び地図表示制御方法を提供することを目的とする。
【００１５】
【課題を解決するための手段】
前記課題を解決するために請求項１記載の発明にかかる地図表示制御装置にあっては、地図データを記憶しているとともに、この地図データに基づく地図上に表示されるサービス施設に関する情報であって、地図記憶媒体を提供するサービス施設、地図データの生成事業とタイアップしているサービス施設、地図データの送信元に係るサービス施設等の前記地図データの供給事業に協賛した協賛サービス施設に関する情報と、これら以外の他のサービス施設に関する情報とを記憶している記憶手段と、前記地図データを前記記憶手段から読み出して地図を表示させる第１の表示制御手段と、前記サービス施設に関する情報を前記記憶手段から読み出して表示させるとともに、その際に前記協賛サービス施設に関する情報を、前記他のサービス施設に関する情報よりも優先的に表示させる第２の表示制御手段とを備える。
【００１８】
また、請求項２記載の発明にかかる地図表示制御装置にあっては、前記記憶手段に記憶されている協賛サービス施設に関する情報は、複数の協賛サービス施設に関する情報の中からユーザにより選択され書き込まれた協賛サービス施設に関する情報を含む。
【００１９】
また、請求項３記載の発明にかかる地図表示制御装置にあっては、現在位置を取得する取得手段を備え、前記第２の表示制御手段は、前記取得手段により取得された現在位置に基づき、前記協賛サービス施設に近づいた場合にのみ、当該協賛サービス施設に関する情報を表示させる。
【００２１】
また、請求項４記載の発明にかかる地図表示制御装置にあっては、地図データと、この地図データに基づく地図上に表示されるサービス施設に関する情報であって、前記地図データの供給事業に協賛している協賛サービス施設に関する情報と、それ以外の他のサービス施設に関する情報とを取得する取得手段と、この取得手段で取得した地図データに基づいて地図を表示させる第１の表示制御手段と、前記取得手段で取得した協賛サービス施設及び他のサービス施設に関する情報を表示させるとともに、その際に前記協賛サービス施設に関する情報を、前記他のサービス施設に関する情報よりも優先的に表示させる第２の表示制御手段とを備える。
【００２２】
また、請求項５記載の発明にかかる地図表示制御装置にあっては、地図情報と、この地図情報に基づく地図上に表示されるサービス施設に関する情報であって、前記地図情報の供給事業に協賛している協賛サービス施設に関する情報と、それ以外の他のサービス施設に関する情報とが記録されている記録媒体から情報を読み取る読取手段と、この読取手段で読み取った地図情報に基づいて地図を表示させる第１の表示制御手段と、前記読取手段で読み取った協賛サービス施設及び他のサービス施設に関する情報を表示させるとともに、その際に前記協賛サービス施設に関する情報を、前記他のサービス施設に関する情報よりも優先的に表示させる第２の表示制御手段とを備える。
【００２４】
また、請求項６記載の発明にかかる地図データサービスシステムにあっては、請求項４に記載の地図表示制御装置と、この地図表示制御装置と通信可能にネットワーク接続され、前記地図表示制御装置の取得手段に対して、前記地図データと前記協賛サービス施設に関する情報と前記他のサービス施設に関する情報とを供給する地図データ供給装置とからなる。
【００２６】
また、請求項７記載の発明にかかる記録媒体にあっては、コンピュータに、地図データと、この地図データに基づく地図上に表示されるサービス施設に関する情報であって、前記地図データの供給事業に協賛している協賛サービス施設に関する情報と、それ以外の他のサービス施設に関する情報とを取得する処理と、前記取得した地図データに基づいて地図を表示させる処理と、前記取得した協賛サービス施設及び他のサービス施設に関する情報を表示させるとともに、その際に前記協賛サービス施設に関する情報を、前記他のサービス施設に関する情報よりも優先的に表示させる処理とを実行させるためのプログラムを記憶する。
【００２７】
また、請求項８記載の発明にかかる地図表示制御方法にあっては、地図データと、この地図データに基づく地図上に表示されるサービス施設に関する情報であって、前記地図データの供給事業に協賛している協賛サービス施設に関する情報と、それ以外の他のサービス施設に関する情報とを取得し、前記取得した地図データに基づいて地図を表示する地図表示装置が有するコンピュータを動作させるためのコンピュータ・ソフトウェアによる地図表示制御方法であって、前記取得した協賛サービス施設及び他のサービス施設に関する情報を表示させるとともに、その際に前記協賛サービス施設に関する情報を、前記他のサービス施設に関する情報よりも優先的に表示させる。
【００４５】
【発明の実施の形態】
以下、本発明の一実施の形態を図に従って説明する。
（第１の実施の形態）
まず、本実施の形態にかかる地図ソフト供給システムの前提概念について図１に基づき説明する。同図に示すように、広告代理店１０２は、このシステムに協賛する複数のタイアップ企業１０１・・・を募集する。このタイアップ企業１０１は、コンビニエンスストア、ガソリンスタンド、レストラン等のナビゲーション装置で良く検索（地図上に表示）されるサービス施設を運営する企業である。このシステムに協賛することを同意したタイアップ企業１０１・・・は、予め広告代理店２により提示されている優先順位のいずれかを選択するとともに、選択した優先順位に応じた協賛金を各々広告代理店１０２に支払う。広告代理店１０２は、各タイアップ企業１０１から徴収した協賛金を資金にして、ＣＤ−ＲＯＭ製作会社１０３に、地図ソフトである地図ＣＤ−ＲＯＭの製作を依頼する。
【００４６】
ＣＤ−ＲＯＭ製作会社１０３は、依頼に応じて地図ＣＤ−ＲＯＭを作成した後、流通ルートを介して販売店１０４に供給し、販売店１０４からユーザ１０５に供給される。このとき、販売店１０４は、ユーザ１０５から若干の料金を徴収して低額で販売を行うか、若しくは予め広告代理店１０２から手数料を徴収することにより、無料で地図ＣＤ−ＲＯＭを配布する。
【００４７】
図２に示すように、この地図ＣＤ−ＲＯＭ６は、プログラム記憶部６１と地図データ記憶部６２、及びサービス施設データ記憶部６３で構成されている。プログラム記憶部６１には、後述する図５及び図６のフローチャートによって示される処理プログラムが記憶されている。地図データ記憶部６２には、一般的な地図ＣＤ−ＲＯＭと同様に各ブロック毎の地図データが記憶されている。
【００４８】
サービス施設データ記憶部６３には、図３に示すように、前記タイアップ企業１０１にかかるサービス施設「コンビニエンスストア」「ガソリンスタンド」「レストラン」・・・毎に、ジャンル別エリア６６が設けられている。各ジャンル別エリア６６は各々領域６６１〜６６５を有し、領域６６１には当該サービス施設の位置データ（経度Ｘ，緯度Ｙ）が記憶されている。また、領域６６２には、名称が記憶されており、領域６６３には優先順位データが記憶されている。この優先順位データは、「１」から「４」までが、前述のように、タイアップ企業１０１が支払った協賛金の額に応じて、広告代理店２により設定されたランクである。また、優先順位データは、ランク「１」が最も高額の協賛金を支払ったタイアップ企業１０１のサービス施設であり、ランク「４」が最も低額の協賛金を支払ったタイアップ企業１０１のサービス施設である。なお、最低ランク「５」は、タイアップしていない非タイアップ企業のサービス施設である。
【００４９】
また、領域６６４には、詳細内容データが記憶されており、この詳細内容データは、当該サービス施設の内容紹介やコマーシャルメッセージ等である。なお、最低ランク「５」であるタイアップしていない非タイアップ企業のサービス施設の領域６６４には、データが記憶されていない。領域６６５には、各サービス施設を図形表示する場合のアイコンデータが記憶されている。
【００５０】
なお、チェーン店が複数あるようなタイアップ企業１０１の場合は、領域６６２〜６６５に対応付けて複数の位置データを領域６６１に記憶させるようにしてもよい。
【００５１】
図４は、本発明を経路表示機能を有する車載用のナビゲーション装置に適用した場合を示す回路構成図である。このナビゲーション装置は、経路表示機能、経路誘導機能、地点登録機能をはじめ各種の一般的な機能を備えたものであって、ＧＰＳアンテナ１と、このＧＰＳアンテナ１により受信した衛星からのＬ１帯のＣ／Ａコードを復調・解読して現在地の緯度・経度を割り出すＧＰＳブロック２とを有している。このＧＰＳブロック２により割り出された緯度・経度の情報はグラフィックブロック３に入力され、ＣＰＵ４に取り込まれる。
【００５２】
グラフィックブロック３にはＣＤブロック５が接続されている。ＣＤブロック５は、地図ＣＤ−ＲＯＭ６に記憶されているデータを読み出し出力する。ＣＤブロック５から出力された各種データはＲＡＭ７を介して、記憶装置８から読み出されたデータとともにＣＰＵ周辺回路Ｇ／Ａ９を経由してＣＰＵ４へ送られる。さらに、ＣＤ−ＲＯＭ６から読み出されたデータはグラフィックデータコントローラ１０によりビデオＲＡＭ１１を介してモニター１２に送られ、これによりモニター１２の画面に地図等が表示される。
【００５３】
また、前記グラフィックブロック３には、ＦＭアンテナ１３によってＦＭ多重放送波を受信し、一般のＦＭ放送やそれに多重化されている付加情報を復調し出力するＦＭ多重受信機１４と、ビーコンアンテナ１５によって光ビーコン（又は電波ビーコン）を受信し、それに乗せて送られてくる交通情報等を復調し出力するビーコン受信機１６とを有している。双方の受信機１４，１６によって受信された交通情報、すなわち渋滞情報や駐車場の満空情報等は交通情報処理コントローラー１７により処理された後、ＣＰＵ周辺回路Ｇ／Ａ９を介してＣＰＵ４に送られる。
【００５４】
さらに、前記グラフィックブロック３には、Ｄ／Ａコンバータ１８及びアンプ１９を介して、合成音からなる案内音を経路誘導時等に放音するスピーカー２０が接続されるとともに、キーブロック２１が接続されている。キーブロック２１は、カーソルキー、ＥＮＴＥＲキー、あるいは後述する各種キー等、このナビゲーション装置において必要となる各種操作キーを有している。また、グラフィックブロック３には、日付や曜日等の暦情報と、時刻を取得する時計部２２が設けられており、この時計部２２とＲＡＭ７とは電源オフ状態における動作を確保されている。
【００５５】
前記記憶装置８は、プログラム、データ等が予め記憶されている記録媒体２８を有しており、この記録媒体２８は磁気的、光学的記録媒体、若しくは半導体メモリで構成されている。この記録媒体２８は、記憶装置８に固定的に設けたもの、若しくは脱着自在に装着するものである。また、記録媒体２８に記録するプログラム、データ等は、通信回線等を介して接続された他の機器から受信して記憶する構成にしてもよく、更に、通信回線等を介して接続された他の機器側に前記記録媒体２８を備えた記録装置を設け、この記録媒体に記憶されているプログラム、データを通信回線を介して使用する構成にしてもよい。更に、記録媒体２８に記録するプログラム、データ等を地図ＣＤ−ＲＯＭ６に記憶する構成にしてもよい。
【００５６】
次に、本実施の形態にかかるナビゲーション装置の動作を図５及び図６に示すフローチャートに従って説明する。これらフローチャートで示す各機能を実現するプログラムは、前述のようにＣＰＵ４が読み取り可能なプログラムコードの形態で、前記ＣＤ−ＲＯＭ６のプログラム記憶部６１に記憶されている。そして、キーブロック２１に設けられている電源キーがオン操作されると、ＣＰＵ４は、前記プログラムに基づき、図５に示すフローチャートに従って動作し、ＧＰＳブロック２より現在位置（経度Ｘ，緯度Ｙ）を取得する（ステップＳ１）。引き続き、この取得した現在位置を元にして、その位置が含まれる複数のブロックの地図データをＣＤ−ＲＯＭ６の地図データ記憶部６２からＣＤブロック５を介して読み出し、複数のブロックの地図データに基づく地図をモニター１２上に表示する（ステップＳ２）。
【００５７】
また、再度ＧＰＳブロック２より現在位置（経度Ｘ，緯度Ｙ）を取得し（ステップＳ３）、このステップＳ３で取得した現在位置と前記ステップＳ１で前回取得した現在位置とを比較することにより、現在位置が変化したか否かを判断する（ステップＳ４）。変化していない場合には、ステップＳ５〜Ｓ７の処理を実行することなく、ステップＳ８に進む。しかし、現在位置が変化した場合には、自車の現在位置に応じてモニター１２の現在位置マークを移動させるべく、現在位置マークを更新する（ステップＳ５）。
【００５８】
引き続き、モニター１２に表示されている地図を更新すべきか否かを判断する（ステップＳ６）。具体的には、ステップＳ５で更新した現在位置マークが、モニター１２の中央のブロックから外に出たか否かを判断し、中央のブロックから外に出た場合には、新たに自車が位置することなったブロックを中心とする複数のブロックを選択し直し、これらブロックの地図データをＣＤ−ＲＯＭ６の地図データ記憶部６２からＣＤブロック５を介して読み出す。そして、この新たに読み出したブロックの地図データに基づき、モニター１２が表示している地図を更新する（ステップＳ７）。次に、キーブロック２１に設けられているサービス施設表示キーがオン操作されたか否かを判断する（ステップＳ８）。そして、オン操作されたならば、サービス施設表示処理を行って（ステップＳ９）、以降電源キーがオフ操作されるまで、ステップＳ３〜Ｓ９の処理を繰り返す。
【００５９】
前記サービス施設表示処理（ステップＳ９）は、図６に示すフローチャートに従って実行される。すなわち、サービス施設表示キーにより、「コンビニエンスストア」「ガソリンスタンド」「レストラン」等のうちのいずれが選択されたかを判断する（ステップＳ９０１〜Ｓ９０３）。「コンビニエンスストア」が選択された場合には、モニター１２に表示されている地図表示範囲内、つまり現在位置に近づいているコンビニエンスストアの施設データ（図３（Ａ））を読み込む（ステップＳ９０４）。
【００６０】
次に、キーブロック２１での操作により単一施設表示が選択されたか否かを判断する（ステップＳ９０８）。そして、単一施設表示が選択されずに、一覧表示が選択された場合には、ステップＳ９０８からステップＳ９０９に進み、優先順位データに基づき、表示順位、表示形態、表示色を設定する。具体的には、表示順位に関しては、図３（Ａ）に示した「コンビニエンスストア」のジャンル別エリア６６において、ランク「１」のサービス施設データを最上位にして、ランク順に並べる。表示形態に関しては、ランク「１」のサービス施設データのみを点滅表示させる。表示色に関しては、ランク「１」〜「４」である協賛企業のサービス施設データは異なる色にカラー設定し、ランク「５」である協賛企業のサービス施設データはモノクロ設定する等である。
【００６１】
そして、次のステップＳ９１０では、この設定に従ってコンビニエンスストアのサービス施設データを一覧表示する。この一覧表示により、ランク順であって、各ランク及び協賛企業であるか否かにより異なる表示形態で、図３（Ａ）に示した「コンビニエンスストア」のジャンル別エリア６６内の、位置データに基づく位置、名称、詳細内容データの一覧がモニター１２に表示される。
【００６２】
他方、ステップＳ９０８での判断の結果、単一施設表示が選択された場合には、ステップＳ９０８からステップＳ９１１に進み、「コンビニエンスストア」のジャンル別エリア６６内の最も優先順位の高い施設データを抽出する。そして、この抽出した単一施設のサービス施設データをモニター１２に表示させる（ステップＳ９１２）。引き続き、キーブロック２１の切替表示キーがオン操作されたか否かを判断し、オン操作されたならばステップＳ９１１に戻って、残っているサービス施設データのうち最も優先順位の高いサービス施設データを抽出して、モニター１２に表示させる（ステップＳ９１２）。したがって、モニター１２には切替表示キーが操作される毎に、優先順位に従った順序でコンビニエンスストアのサービス施設データが切替表示される。
【００６３】
なお、このとき位置データに基づく地図上の位置に、領域６６５に記憶されているアイコンデータに基づくアイコンを表示させて、位置表示を行うようにしてもよい。更に、各ランク及び協賛企業であるか否かにより異なる表示形態や表示色でアイコンを地図上に表示させるようにしてもよい。
【００６４】
また、「ガソリンスタンド」が選択された場合には、ステップＳ９０２からステップＳ９０５に進んだ後、前述したステップＳ９０８以降の処理が実行される。また、「レストラン」が選択された場合には、ステップＳ９０３からステップＳ９０６に進んだ後、前述したステップＳ９０８以降の処理が実行される。さらに、他のサービス施設が選択された場合には、ステップＳ９０３からステップＳ９０７に進んだ後、前述したステップＳ９０８以降の処理が実行される。したがって、いずれのサービス施設が選択された場合であっても、ランク順であって、各ランク及び協賛企業であるか否かにより異なる表示形態で一覧表示され、あるいは切替表示キーが操作される毎に、優先順位に従った順序で選択されたサービス施設データが切替表示されることとなる。
【００６５】
なお、単純に領域６６３に記憶されている優先順位データに従った順序でサービス施設データを一覧表示又は切替表示させるのではなく、優先順位と現在位置からサービス施設までの距離順位とに基づいて決定された順序でサービス施設データを一覧表示又は切替表示させるようにしてもよい。
【００６６】
（第２の実施の形態）
【００６７】
図７は、本発明の第２の実施の形態を示すシステム構成図である。図に示すように、地図データ書込装置３０は、公衆電話回線網２０１及びインターネット２０２を介して、ｗｗｗ上の地図データサーバ４０に接続可能であり、地図データサーバ４０はデータベース５０に接続されている。
【００６８】
地図データ書込装置３０は、コンビニエンスストアや所定のサービスショップ等に配置されており、図８に示すように、バス３１を介して接続されたＣＰＵ３２、プログラムメモリ３３、ＲＡＭ３４、入力部３５、表示部３６、通信部３７、ＣＤ−ＲＷ書込部３８で構成されている。ＣＰＵ３２は、プログラムメモリ３３に記憶されているプログラムに基づき、ＲＡＭ３４をワークエリアとして使用しつつ動作することにより、各部を制御するものである。入力部３５は、キーボードやマウスで構成され、表示部３６はＣＲＴやＬＣＤで構成される。通信部３７は、モデム等を有し、前記公衆電話回線網２０１及びインターネット２０２介して外部と通信を行うものである。ＣＤ−ＲＷ書込部３８は、通信部３７が取り込んだデータをＣＤ−ＲＷ７０に書き込むものである。
【００６９】
前記データベース５０の一部には、図９（Ａ）に示すように、プログラム記憶部５１と地図データ記憶部５２、及びサービス施設データ記憶部５３が設けられており、サービス施設データ記憶部５３は、協賛サービス施設データ記憶部５４と一般サービス施設データ記憶部５５とに区分されている。プログラム記憶部５１には、前述した図５のフローチャートによって示される処理プログラム及び後述する図１２のフローチャートによって示される処理プログラムが記憶されている。地図データ記憶部５２には、地図ＣＤ−ＲＯＭに記憶される地図データと同様に所定のブロック毎の地図データが記憶されている。但し、この地図データは、実際の地理に変更が生じた都度、あるいは定期的に最新のデータに更新される。
【００７０】
協賛サービス施設データ記憶部５４には、下記▲１▼〜▲３▼のサービス施設に関するデータ（サービス施設データ）が記憶されている。
▲１▼地図データサーバ４０にアクセスするためのホームページを作成し、本システムの運営者と提携しているサービス施設に関するデータ。
▲２▼前記地図データ書込装置３０を設置（あるいは提供）しているサービス施設のデータ。
▲３▼本システムの運営者とタイアップしてスポンサーとなっている企業のサービス施設に関するデータ。
【００７１】
こられ▲１▼〜▲３▼のサービス施設データは、前述の図３に示した領域６６１、６６２、６６３、６６４、６６５に記憶されているデータと同様であり、当該サービス施設の位置データ、名称、優先順位データ、詳細内容データ、アイコンデータ等からなる。
【００７２】
また、一般サービス施設データ記憶部５５には、これら▲１▼〜▲３▼以外のサービス施設データが記憶されており、このサービス施設データは、前述の図３に示した領域６６１、６６２、６６３、６６５に記憶されているデータと同様であり、当該サービス施設の位置データ、名称、優先順位データ、アイコンデータ等からなる。
【００７３】
図９（Ｂ）は、前記ＣＤ−ＲＷ書込部３８が、書き込みを行うに際して、ＣＤ−ＲＷ７０をフォーマット処理した状態の記憶部構成図である。同図に示すように、ＣＤ−ＲＷ７０には、フォーマット処理により、同図（Ａ）に示した地図データサーバ４０内の記憶部構成と同様に、プログラム記憶部７１と地図データ記憶部７２、及びサービス施設データ記憶部７３が形成され、サービス施設データ記憶部７３には、協賛サービス施設データ記憶部７４と一般サービス施設データ記憶部７５とが形成される。
【００７４】
以上の構成に係る本実施の形態において、地図データサーバ４０は、アクセスに応答して図１０に示すフローチャートに従って処理を実行する。すなわち、地図データサーバ４０は、アクセスされた端末からのダウンロード要求に応じて、データベースプログラム記憶部５１からプログラムを読み出して送信し（ステップＳ１１）、地図データ記憶部５２から地図データを読み出して送信する（ステップＳ１２）。さらに、一般サービス施設データ記憶部５５から一般サービス施設データを読み出して送信し（ステップＳ１３）、協賛サービス施設データ記憶部５４から、ホームページを作成した（提携している）サービス施設のサービス施設データ、地図データ書込装置３０を設置（提供）しているサービス施設のサービス施設データ、本システムの運営者とタイアップしてスポンサーとなっている企業のサービス施設データを各々読み出して送信する（ステップＳ１４〜Ｓ１６）。
【００７５】
なお、地図データサーバ４０は、アクセスされた端末からの選択的なダウンロード要求に応じて、ユーザが選択した所望のサービス施設データのみを送信するようにしてもよい。
【００７６】
一方、ユーザは予めＣＤ−ＲＷ７０を入手しておき、地図データ書込装置３０が配置されている個所に赴き、無料若しくは少額のサービス料を支払って、ＣＤ−ＲＷ７０をＣＤ−ＲＷ書込部３８に装着する。但し、自動販売機のように予め複数枚のＣＤ−ＲＷ７０をセットしておきユーザがサービス料金を地図データ書込装置３０の挿入口に挿入することによりＣＤ−ＲＷ７０がＣＤ−ＲＷ書込部３８に自動装着される構成にした場合は、ユーザがＣＤ−ＲＷ７０を装着する必要はなくなる。ＣＤ−ＲＷ７０がＣＤ−ＲＷ書込部３８に装着されると、地図データ書込装置３０は、ＣＤ−ＲＷ７０に対し、前述の図９（Ｂ）に示したフォーマット処理を行った後、プログラムメモリ３３に記憶されているプログラムに基づき、図１１に示すフローチャートに従って処理を開始する。
【００７７】
すなわち、地図データサーバ４０にアクセスし（ステップＳ２１）、プログラムのダウンロードを要求する（ステップＳ２２）。これに応じて、プログラムが送信されてくると（図１０ステップＳ１１参照）、これをプログラム記憶部７１に書き込む（ステップＳ２３）。引き続き、地図データのダウンロードを要求し（ステップＳ２４）、これに応じて、地図データが送信されてくると（図１０ステップＳ１２参照）、これを地図データ記憶部７２に書き込む（ステップＳ２５）。
【００７８】
さらに、一般サービス施設データのダウンロードを要求し（ステップＳ２６）、これに応じて、一般サービス施設データが送信されてくると（図１０ステップＳ１３参照）、これを一般サービス施設データ記憶部７５に書き込む（ステップＳ２７）。また、ホームページを作成した（提携している）サービス施設のサービス施設データ、地図データ書込装置３０を設置（提供）しているサービス施設のサービス施設データ、本システムの運営者とタイアップしてスポンサーとなっている企業のサービス施設データのダウンロードを要求し（ステップＳ２８、Ｓ３０、Ｓ３２）、これに応じて、各サービス施設データが送信されてくると（図１０ステップＳ１４〜Ｓ１６参照）、これを協賛サービス施設データ記憶部７４に書き込む（ステップＳ２８、Ｓ３０、Ｓ３２）。  したがって、以上の図１１のフローチャートに従った処理が実行されることにより、ＣＤ−ＲＷ７０のプログラム記憶部７１には前記プログラムが書き込まれ、地図データ記憶部７２には最新の地図データが書き込まれ、協賛サービス施設データ記憶部５４には、前記▲１▼〜▲３▼のサービス施設データ書き込まれ、一般サービス施設データ記憶部７５には、▲１▼〜▲３▼以外のサービス施設データが書き込まれることとなる。
【００７９】
なお、前述したように、地図データ書込装置３０は、入力部３５の操作により複数の選択候補の中からユーザが所望する協賛サービス施設を選択すると、選択したサービス施設データのみのダウンロードを要求し、この要求に応じて送られてきたサービス施設データをＣＤ−ＲＷ７０の協賛サービス施設データ記憶部５４に書き込むようにしてもよい。
【００８０】
また、前述した本実施の形態においては、何も書き込まれていないＣＤ−ＲＷ７０を地図データ書込装置３０のＣＤ−ＲＷ書込部３８に装着して地図データ等を書き込む場合について説明したが、既に地図データ等が書き込まれているＣＤ−ＲＷ７０を地図データ書込装置３０のＣＤ−ＲＷ書込部３８に装着してダウンロードを要求すると、更新が必要な新規のデータのみがダウンロードされ書き込まれる構成にしてもよい。
【００８１】
また、前述した本実施の形態においては、本発明をコンビニエンスストアや所定のサービスショップ等に配置される地図データ書込装置３０に適用した場合について説明したが、ＣＤ−ＲＷ書込部３８及び通信部３７（インターネット機能）付きのパソコンやカーナビゲーション装置に本発明を適用するようにしてもよい。その際、ＣＤ−ＲＷ７０に地図データ等を書き込まずに内蔵のハードディスクや半導体メモリに書き込むようにしてもよい。
【００８２】
また、前述した本実施の形態においては、本発明を公衆電話回線網２０１及びインターネット２０２を介してｗｗｗ上の地図データサーバ４０に接続可能な地図データ書込装置３０に適用した場合について説明したが、データベース５０を地図データ書込装置３０内に設けるようにして地図データ書込装置３０のみで図１０、図１１のフローチャートに示したような処理を実行するようにしてもよい。
【００８３】
そして、このようにして地図データ書込装置３０がＣＤ−ＲＷ７０へのデータ書き込みを終了したならば、ユーザはＣＤ−ＲＷ書込部３８から自己のＣＤ−ＲＷ７０を離脱させ、自己の車両に搭載されている前記図４に示したナビゲーション装置のＣＤブロック５に装着する。すると、ナビゲーション装置のＣＰＵ４は、前述した図５のフローチャートに従って処理を行い、ステップＳ９でサービス施設表示処理（ステップＳ９）を実行する。
【００８４】
本実施の形態において、サービス施設表示処理（ステップＳ９）は、図６に示したフローチャートに従って行われるとともに、図１２に示すフローチャートに従って行われる。但し、図１２に示すフローチャートに示すサービス施設表示処理は、ステップＳ８においてサービス施設表示キーがオン操作されたか否かに関係なく実行される。先ず、モニター１２に表示されている地図表示範囲内、つまり現在位置に近づきつつある領域内に、前記▲１▼〜▲３▼のサービス施設である協賛サービス施設があるか否かを判断する（ステップＳ９２１）。ある場合には、地図表示範囲内の協賛サービス施設のサービス施設データを、協賛サービス施設データ記憶部７４から読み出して、モニター１２に表示する（ステップＳ９２２）。なお、地図表示範囲内に協賛サービス施設が複数存在する場合、全てのサービス施設データを表示させずに優先順位データに基づき優先順位の高い協賛サービス施設のサービス施設データのみを表示させるようにしてもよい。したがって、協賛サービス施設がある地域に近づいてくると、協賛サービス施設データのみが優先的に表示される。
【００８５】
また、この協賛サービス施設には、前記地図データ書込装置３０が設置されているコンビニエンスストア等が含まれていることから、そこに立ち寄って自己のＣＤ−ＲＷ７０を地図データ書込装置３０にセットし、前述した書き込みを行わせることにより、随時地図データをダウンロードして書き込むことができる。しかも、この地図データは前述のように、この地図データは、実際の地理に変更が生じた都度、あるいは定期的に最新のデータに更新されることから、ユーザは常に最新の地図データを無料若しくは低額で入手することができる。
【００８６】
なお、このステップＳ９２２における施設データ表示処理は、協賛サービス施設位置付近にサービス施設データを吹出表示させるのが好ましいが、前述の実施の形態で示した一覧表示、あるいは切替表示のいずれであってもよい。
【００８７】
また、ステップＳ９２３では、キーブロック２１のサービス施設指定キーがオン操作されたか否かを判断し、オン操作された場合には、協賛サービス施設データ記憶部７４から協賛サービス施設の施設データを読み出して、当該サービス施設のサービス施設データをモニター１２に表示する（ステップＳ９２４）。したがって、ユーザにより選択されたサービス施設に関する情報は、後述するステップＳ９２６で表示される他のサービス施設に関する情報よりも優先的に表示される。したがって、ユーザにより選択されたサービス施設は、他のサービス施設よりも、優先的に表示されて利用促進効果及び広告宣伝効果を得ることができ、これを根拠に協賛金を収拾する等の、地図データの作成に要する協賛金の後日における収拾が可能となる。
【００８８】
さらに、ステップＳ９２５では、キーブロック２１の一般サービス施設表示キーがオン操作された否かを判断し、オン操作された場合には、一般サービス施設データ記憶部７５から一般サービス施設の施設データを読み出して、モニター１２に表示する（ステップＳ９２６）。
【００９３】
【発明の効果】
以上説明したように本発明によれば、地図データと、この地図データに基づく地図上に表示されるサービス施設に関する情報であって、地図記憶媒体を提供するサービス施設、地図データの生成事業とタイアップしているサービス施設、地図データの送信元に係るサービス施設等の前記地図データの供給事業に協賛した協賛サービス施設に関する情報と、これら以外の他のサービス施設に関する情報とを記憶、取得、又は読み取り、サービス施設に関する情報を表示させる際に、前記協賛サービス施設に関する情報を、前記他のサービス施設に関する情報よりも優先的に表示させるようにしたことから、地図データの供給事業に協賛した協賛サービス施設に関する情報はユーザの視覚を刺激して、ユーザによる利用を促進し、あるいは高い広告宣伝効果を発生させることができる。したがって、これら利用促進効果及び広告宣伝効果を発生することを根拠に、この地図データを作成する際に、予め地図データの供給事業に協賛する複数のスポンサーを確保し、このスポンサーからの協賛金により地図データを作成することが可能となる。これにより、地図データの作成に要するコストを分散化させて、これを低価格あるいは無料で提供することが可能となり、ユーザは常に新しい地図データを使用することが容易となり、ユーザが最新の地図データを容易に入手し得るシステムを構築することができる。
【図面の簡単な説明】
【図１】本発明の第１の形態にかかる地図ソフト供給システムの前提概念を示す図である。
【図２】地図ＣＤ−ＲＯＭの記憶部構成図である。
【図３】サービス施設データ記憶部の記憶データを示す図である。
【図４】ナビゲーション装置の構成を示すブロック図である。
【図５】ナビゲーション装置の処理手順を示すフローチャートである。
【図６】第１の実施の形態におけるサービス施設表示処理の処理手順を示すフローチャートである。
【図７】本発明の第２の実施の形態を示すシステム構成図である。
【図８】地図データ書込装置を示すブロック構成図である。
【図９】（Ａ）はデータベースの記憶部構成図、（Ｂ）は地図ＣＤ−ＲＷの記憶部構成図である。
【図１０】地図データサーバの処理手順を示すフローチャートである。
【図１１】地図データ書込装置の処理手順を示すフローチャートである。
【図１２】第２の実施の形態におけるサービス施設表示処理の処理手順を示すフローチャートである。
【符号の説明】
６      地図ＣＤ−ＲＯＭ
１      ＧＰＳアンテナ
２      ＧＰＳブロック
４      ＣＰＵ
５      ＣＤブロック
２１    キーブロック
６１    プログラム記憶部
６２    地図データ記憶部
６３    サービス施設データ記憶部
【図１】
0004862212.tif 000002
【図２】
0004862212.tif 000003
【図３】
0004862212.tif 000004
【図４】
0004862212.tif 000005
【図５】
0004862212.tif 000006
【図６】
0004862212.tif 000007
【図７】
0004862212.tif 000008
【図８】
0004862212.tif 000009
【図９】
0004862212.tif 000010
【図１０】
0004862212.tif 000011
【図１１】
0004862212.tif 000012
【図１２】
0004862212.tif 000013